(57)【要約】【課題】従来の塵埃除去方法では、光ディスク設備のサイズが大きくなってしまう、または、ヘッド表面にキズが発生してしまう、または、塵埃を効率良く除去できないという問題点を有していた。【解決手段】光ディスクまたは磁気ディスクなどの情報記録媒体を気流循環促進壁の内部に収納し、情報記録媒体の回転に伴い気流循環促進壁と情報記録媒体の間に流速の速いエアーフローを発生させそのエアーフロー内の塵埃を捕集することで情報記録媒体およびヘッドの表面に塵埃が付着することを非接触で防止する構成としている。塵埃を非接触で除去する構成を実現するために、記録または再生を行う前に除電浄化モードを設け帯電量を中和したのち塵埃を捕集することで情報記録媒体とヘッド間に塵埃が侵入することを防止するとともに情報記録媒体およびヘッド上に塵埃が付着することを防止する構成としている。【選択図】図２
2015035232.tif 000002
【特許請求の範囲】
【請求項１】
記録又は再生の少なくともいずれかが行われる記録再生面を有する光情報記録媒体と、
前記光情報記録媒体を保持して回転駆動する駆動手段と、
光を出射する光源と、
前記光情報記録媒体の記録再生面に対向して近接配置された記録又は再生用素子と、
前記光情報記録媒体を収納するとともに前記記録または再生用素子が移動可能な開口部とを有した気流循環促進壁と、
前記気流循環促進壁の内部または前記気流循環促進壁の周辺に配置した針状の電極針を含んだイオナイザとを有し、
前記イオナイザの前記電極針から＋および−のイオンを放出することにより、前記気流循環促進壁の内部の塵埃、前記光情報記録媒体および前記記録または再生素子の帯電量を低減し、前記光情報記録媒体の回転で発生した風の流れで、前記気流循環促進壁の内部の塵埃が、前記光情報記録媒体と前記記録または再生素子に付着するのを低減した
ことを特徴とするディスク記録再生装置の除電装置およびディスク記録再生装置。
【請求項２】
前記気流循環促進壁の内部または前記気流循環促進壁の周辺に塵埃捕集フィルタを有し、
前記光情報記録媒体の回転で発生した風の流れで、前記気流循環促進壁の内部の塵埃を前記塵埃捕集フィルタで捕集する
ことを特徴とする請求項１記載のディスク記録再生装置の除電装置およびディスク記録再生装置。
【請求項３】
前記記録または再生用素子は、前記光源から出射された光束を近接場光として前記光情報記録媒体の前記記録再生面に集光させることが可能な集光素子とすることを特徴とする請求項１または請求項２記載のディスク記録再生装置の除電装置およびディスク記録再生装置。
【請求項４】
前記記録または再生用素子は前記光源から出射された前記光束をプラズモン共鳴光として前記光ディスクの前記記録再生面に集光させることが可能なプラズモン共鳴アンテナとすることを特徴とする請求項１または請求項２記載のディスク記録再生装置の除電装置およびディスク記録再生装置。
【請求項５】
磁気記録再生面を有する磁気記録媒体と、
前記磁気記録媒体を保持して回転駆動する駆動手段と、
前記磁気記録媒体の磁気記録再生面に対向して近接配置された記録再生用の磁気ヘッドと、
前記磁気記録媒体を収納するとともに前記磁気ヘッドが移動可能な開口部を有した気流循環促進壁と、
前記気流循環促進壁の内部または前記気流循環促進壁の周辺に配置する針状の電極針を含んだイオナイザとを有し、
前記イオナイザの前記電極針から＋および−のイオンを放出することにより、前記気流循環促進壁の内部の塵埃、前記磁気記録媒体および前記磁気ヘッドの帯電量を低減し、前記磁気記録媒体の回転で発生した風の流れで、前記気流循環促進壁の内部の塵埃が、前記磁気記録媒体と前記磁気ヘッドに付着するのを低減したことを特徴とするディスク記録再生装置の除電装置およびディスク記録再生装置。
【請求項６】
前記気流循環促進壁の内部または前記気流循環促進壁の周辺に塵埃捕集フィルタを有し、
前記磁気記録媒体の回転で発生した風の流れで、前記気流循環促進壁の内部の塵埃を前記塵埃捕集フィルタで捕集することを特徴とする請求項５記載のディスク記録再生装置の除電装置およびディスク記録再生装置。
【請求項７】
前記イオナイザは、記録または再生を行うときに動作するモードと、記録または再生を行うとき以外に動作する除電浄化モードを有することを特徴とする請求項１、請求項２、請求項５または請求項６記載のディスク記録再生装置の除電装置およびディスク記録再生装置。
【請求項８】
前記除電浄化モードは、装置に電源を入れたのちに前記駆動手段とともに数秒から数十秒間前記イオナイザを動作させ前記電極針から＋および−のイオンを発生させるか、前記駆動手段をあらかじめ定められた一定時間以上停止したのち、記録あるいは再生動作の終了後またはディスク記録再生装置の電源オフ時に、前記駆動手段とともに数秒から数十秒間、前記イオナイザを動作させることを特徴とする請求項７記載のディスク記録再生装置の除電装置およびディスク記録再生装置。
【請求項９】
前記除電浄化モードにおける前記駆動手段の回転数は、高速回転、低速回転および停止を組み合わせた回転数であることを特徴とする請求項７または請求項８記載のディスク記録再生装置の除電装置およびディスク記録再生装置。
【請求項１０】
前記除電浄化モードは、ディスク記録再生装置に電源を入れたのちに前記駆動手段とともに数秒から数十秒間前記イオナイザを動作させ前記電極針から＋および−のイオンを発生させるか、前記駆動手段があらかじめ定められた一定時間以上停止したのちに、記録あるいは再生動作の終了後またはディスク記録再生装置の電源オフ時に、前記駆動手段とともに数秒から数十秒間、前記イオナイザを動作させる構成としたことを特徴とする請求項７、請求項８または請求項９記載のディスク記録再生装置の除電装置およびディスク記録再生装置。
【請求項１１】
前記ディスク記録再生装置の電源コンセントが突然抜かれた場合でも前記除電浄化モードを数秒から数十秒の間実施するため、前記ディスク記録再生装置の電源部に大容量のキャパシタを有した構成としたことを特徴とする請求項８記載のディスク記録再生装置の除電装置およびディスク記録再生装置。
【請求項１２】
前記光情報記録媒体、前記記録または再生用素子、前記気流循環促進壁の内部の塵埃の帯電量を検出する帯電センサを有し、
前記帯電量があらかじめ定めた値を超えたときのみ前記イオナイザの前記電極針から＋および−のイオンを放出することにより、前記気流循環促進壁の内部の塵埃、前記光情報記録媒体および前記記録または再生素子の帯電量を低減し、前記光情報記録媒体の回転で発生した風の流れで前記気流循環促進壁の内部の塵埃を前記塵埃捕集フィルタで捕集することを特徴とする請求項２記載のディスク記録再生装置の除電装置およびディスク記録再生装置。
【請求項１３】
前記磁気記録媒体、前記磁気ヘッド、前記気流循環促進壁の内部の塵埃の帯電量を検出する帯電センサを有し、
前記帯電量があらかじめ定めた値を超えたときのみ前記イオナイザの前記電極針から＋および−のイオンを放出することにより、前記気流循環促進壁の内部塵埃、前記磁気記録媒体、前記磁気ヘッドの前記帯電量を低減し、前記磁気記録媒体の回転で発生した風の流れで前記気流循環促進壁の内部の塵埃を前記塵埃捕集フィルタで捕集することを特徴とする請求項６記載のディスク記録再生装置の除電装置およびディスク記録再生装置。
【請求項１４】
光情報記録媒体および前記記録又は再生用素子を複数有することを特徴とする請求項１、請求項２、請求項１２または請求項１３記載のディスク記録再生装置の除電装置およびディスク記録再生装置。
【請求項１５】
磁気記録媒体光および前記磁気ヘッドを複数有することを特徴とする請求項５、請求項６、請求項１２または請求項１３記載のディスク記録再生装置の除電装置およびディスク記録再生装置。
【請求項１６】
前記イオナイザは高電圧を印加することでイオンを発生する針状の電極針と、高圧電源およびアース電極より構成され、
前記高圧電源により前記電極針に＋の高電圧および−の高電圧をそれぞれ印加することにより＋および−のイオンが前記電極針の先端から発生されることを特徴とする請求項１、請求項２、請求項５または請求項６記載のディスク記録再生装置の除電装置およびディスク記録再生装置。
【請求項１７】
前記イオナイザの前記電極針は＋のイオンおよび−のイオンをそれぞれ専用に発生する構成または、前記電極針は１つの電極針から＋のイオンおよび−のイオンを一定時間ごとに交互に発生する構成とすることを特徴とする請求項１６記載のディスク記録再生装置の除電装置およびディスク記録再生装置。
【請求項１８】
前記イオナイザは、いわゆるコロナ放電方式または、軟Ｘ線、α腺あるいは紫外線を用いたいわゆる電離放射線方式であることを特徴とする請求項１、請求項２、請求項５、請求項６記載、請求項１６または請求項１７記載のディスク記録再生装置の除電装置およびディスク記録再生装置。
【請求項１９】
前記塵埃捕集フィルタはポリプロピレンなどの樹脂から製造され、あらかじめ設定された格子間隔を有する格子状の繊維層から構成された非エレクトリックフィルタであることを特徴とする請求項２、請求項６、請求項１２または請求項１３記載のディスク記録再生装置の除電装置およびディスク記録再生装置。
【発明の詳細な説明】
【技術分野】
【０００１】
本発明は、ＨＤＤ（ハードディスクドライブ装置：Ｈａｒｄ  Ｄｉｓｃ  Ｄｒｉｖｅ）および光ディスクドライブ装置などのディスク記録再生装置の塵埃対策および静電気対策に関する技術であり、ディスク記録再生装置において静電気による塵埃とディスクの電位差を効率的に取り除く除電装置および集塵構成に関するものである。
【背景技術】
【０００２】
近年の情報化社会の発展にともない、音声や映像の高精細化が進みかつインターネットのデータ通信量も著しく増加している。これにともない、サーバ等に蓄積される電子データ量が増加し、情報記録システムの大容量化が求められている。情報記録装置として、パソコン、レコーダ、カメラなどに装備されているＨＤＤや光ディスクドライブ装置などのディスク記録再生装置は、膨大な情報を蓄積するための高記録密度化が求められている。この高密度化は情報記録媒体（光ディスクまたはハードディスク）の記録ビットサイズの微小化を表している。
【０００３】
光ディスクやハードディスクにおけるディスク記録再生装置の高密度化を達成するためには、情報記録媒体と記録または再生ヘッドの距離を狭めることが必須となる。このとき情報記録媒体と記録または再生ヘッドの距離は数ｎｍ〜数十ｎｍ程度となり、数十ｎｍ〜数μｍの塵埃がディスクと記録または再生ヘッドの間に入り込み、ディスクと記録または再生ヘッドに傷を発生させ、記録再生が困難になってしまう。
【０００４】
ＨＤＤの高密度化を達成するためには、ハードディスクと記録再生ヘッドの距離を狭め、磁気記録媒体の磁性膜の結晶粒径を微細化することが必要である。磁気記録媒体において、結晶粒径を微細化すると、粒子が熱的に不安定になるという熱ゆらぎの問題があり、近年、高密度化における阻害の主要因として顕在化されてきている。結晶粒径を微細化し、熱的な安定を同時に達成するためには、保持力を大きくすることが有効である。保持力の増加により、記録に必要な磁気ヘッド磁界強度の増加が必要となる。しかし、記録ヘッドに使われる磁性材料の物性及び磁気ディスクとヘッドの距離を狭めることに限界があるため、高密度化にともない保持力を増大させることが困難である。上記の問題を解決するために、光記録と磁気記録を融合した光・磁気ハイブリッド記録技術が提案されている。記録時に印加磁界発生と同時に媒体を加熱して、媒体の保持力を低減させる。これによって、従来の磁気ヘッドでは、記録磁界強度が不足して記録が困難であった高保持力の記録媒体にも記録が容易となる。再生は、従来の磁気記録で用いられている磁気抵抗効果を用いる。このハイブリッド記録方法を熱アシスト磁気記録と呼ぶ。ここで、光による加熱方法は、近接場（Ｎｅａｒ  Ｆｉｅｌｄ）を利用する方法が提案されている。近接場を用いた熱アシスト磁気記録技術は、レーザ光源が発生したレーザ光を記録ヘッドに導き、近接場光を発生させる機能を有する素子（以下、近接場光発生素子）を用いて光スポット径を記録に適した大きさと形に変換して使用する。
【０００５】
通常、レーザ光源には、ディスクドライブのパッケージ内で使用する必要性から、レーザ光源の中でも小型で低消費電力の半導体レーザ（レーザダイオードとも記される）が用いられる。Ｔｂ／ｉｎ２（テラバイト／平方インチ）以上の記録密度を実現する近接場を用いた熱アシスト磁気記録装置で使用する用途の場合、記録媒体表面に達するまでには、数ｍＷ程度のパワーが必要となる。
【０００６】
レーザダイオード（以下、ＬＤ）で発生したレーザ光を近接場発生素子に導く光学部品は、反射ミラー、レンズ、光導波路などの光学部品である。ＬＤから発生した光は、光路に配置された光学部品を通過して、近接場発生素子、またその先の記録媒体に到達する。光路を通過する途中に光強度は減衰し、ＬＤの発生した光出力の数十分の一になる。光強度の減衰の主な原因は、光学部品内を通過する時の吸収損失や散乱損失、及び光学部品を接着する時に生じる理想的な位置からのずれに起因する結合損失等である。よって、熱アシスト磁気記録記述において、近接場発生素子に入射するまでの結合損失を小さくした構造が必須となる。
【０００７】
また、ＨＤＤのスライダは、ピコスライダ（Ｐｉｃｏｓｌｉｄｅｒ）からフェムトスライダ（Ｆｅｍｔｏｓｌｉｄｅｒ）へと小型化が進んでいる。また、浮上面は１０ｎｍ程度まで浮上量も小さくなってきている。今後はさらに小型化が進み、浮上面が小さくなることも予想される。
【０００８】
一方、光ディスクドライブ装置においては、近接場光を利用して記録又は再生の少なくともいずれかを行う高密度の光ディスクが提案されている。この光ディスクの記録、再生に用いる近接場光学系としては、例えばソリッドイマージョンレンズ（ＳＩＬ：Ｓｏｌｉｄ  Ｉｍｍｅｒｓｉｏｎ  Ｌｅｎｓ）を用いて対物レンズを構成すると共に、このソリッドイマージョンレンズと光ディスクの表面との距離を、使用する光の波長の１／２以下、１／１０程度まで近接させる制御が行われる構成とする。このような近接場光学系を構成することで、ソリッドイマージョンレンズ（以下ＳＩＬ）と光ディスクとの間で近接場光を発生させ、開口数（ＮＡ）を１以上とする高密度の記録再生が可能となる。
【０００９】
近接場光を用いる光ディスク装置では、光ディスクと、対物レンズ部等の集光素子に設置されるＳＩＬの端面との間のギャップを近接場光が生じる距離（ニアフィールド）に制御する必要がある。レーザ光の短波長化に伴いこのギャップは、数十ｎｍ程度となっている。
【００１０】
このような近接場光が用いられる光ディスクドライブ装置では、ギャップ制御において、光ディスクおよびＳＩＬの端面に付着するゴミや埃等の塵埃が重要な問題となる。
【００１１】
ＳＩＬの端面（以下ＳＩＬ端面）に付着する塵埃としては、空気中に浮遊しているもの（埃や衣服繊維等）、がある。塵埃は、ギャップの目標値より大きい幅（高さ）を有するものが多いため、ＳＩＬの端面の上にダストが付着していると、ギャップ制御が不能になる。
【００１２】
記録または再生用ヘッド、光ディスクおよび光ディスクドライブ装置の製造時にダストを除去することは、ある程度までは可能であるが、完全に除去することは困難である。また、製造時にダストを除去したとしても、その後、光ディスクおよび光ディスクドライブ装置を使用する際に塵埃が付着することがあるため、完全にダストフリーにするのは極めて困難である。
【００１３】
さらに、上述したＨＤＤの次世代技術として微小なスポットサイズの光を用いて高密度磁気記録を行う熱アシスト磁気記録技術と同様に、光ディスクドライブ装置においてもプラズモン方式が提案されている。
【００１４】
プラズモン方式において高密度記録を達成するためには、光のスポットサイズをより小さくする必要がある。
【００１５】
光のスポットサイズをより小さくするための一つの手法として、導電体に伝播光を照射した際に生じる表面プラズモン共鳴現象を利用する手法が提案されている。この手法では、表面プラズモン共鳴現象により導電体の端部に例えば近接場光等の微小光が生成される。それゆえ、この手法を用いて近接場光を生成することによって、従来の光学系では実現できなかった微小なスポットサイズを有する微小光を光ディスクに照射することが可能となる。
【００１６】
上述した手法において、導電体に表面プラズモン共鳴現象を発生させて近接場光を生成するために、導電体の寸法は、数十ｎｍから数百ｎｍ程度に設定される。また、目的とする記録密度が高くなると、近接場光を発生する導電体の端部の寸法をより微小にする必要があると同時に、導電体と光ディスクとの距離を一層狭くする必要があり。
【００１７】
このように端部が微小な寸法を有する導電体に対して、例えばＬＤ（レーザダイオード）等の光源から出射される光を集光して照射させるために、集積性がよく且つ高い伝播効率を有する光学系も必要となる。
【００１８】
上記のディスク記録再生装置において、情報記録媒体と記録または再生ヘッド間が狭ギャップの場合、情報記録媒体および記録または再生ヘッドに付着する塵埃を低減する必要がある。
【００１９】
情報記録媒体上のゴミを取り除く手段としてはクリーニングテープを有したディスククリーニング機構を具備し、クリーニングテープで直接情報記録媒体表面のゴミをふき取る方法が提案されている（例えば、特許文献１参照）。
【００２０】
また、情報記録媒体上のダストが除去されていても、ＳＩＬ端面にダストが付着している場合には、ギャップ制御ができない。ＳＩＬ端面のゴミを除去する手段として、クリーニングテープを有したレンズクリーニング機構を設け、クリーニングテープを接触させてＳＩＬ端面のゴミを取り除く方式を提案している（例えば、特許文献２参照）。
【００２１】
情報記録媒体の表面およびＳＩＬ端面のクリーンニング機構を設けたことにより、情報記録媒体の表面およびＳＩＬ端面に付着したダストを除去して、適切にギャップ制御を行うことができる。
【００２２】
また、情報記録媒体の一部を金属導電膜による導電体とし、チャッキング部を介してスピンドルモータより除電する構成を提案している（例えば、特許文献３参照）。
【００２３】
さらには、デジタルカメラのＣＣＤの前面に防塵フィルタとイオン発生器と集塵機と送風機を具備し、防塵フィルタに付着した塵埃を重力と風で集塵機に落とす構成としている。このとき、イオン発生器からイオンを発生することで防塵フィルタに付着した塵埃を除電し、付着力を弱める方式が提案されている（例えば、特許文献４）。
【００２４】
次に、従来の光ディスク装置の構成（特許文献２）を、図１４、図１５、図１６、図１７および図１８（ａ）、図１８（ｂ）、図１８（ｃ）を用いて説明する。
【００２５】
図１４において、光ディスク装置１１１は、光学ヘッド１２８  、サーボ制御系１４０  、スピンドルモータ１４８を有する。光学ヘッド１２８は、光源となるレーザダイオード（  ＬＤ  ）１３１、コリメータレンズ１３２及び１４６  、レーザ光の整形用のアナモフィックプリズム１３３、ビームスプリッタ（Ｂ  Ｓ）１３４  、１／４波長板（ＱＷＰ）１４３、色収差補正レンズ１４４、レーザビームの拡張用レンズ１４５、ウォラストンプリズム１３５、集光レンズ１３６及び１３８、集光素子１１５、フォトディテクタ（ＰＤ）１３７及び１３９、オートパワーコントローラ１４１、ＬＤドライバ１４２を有する。
【００２６】
ウォラストンプリズム１３５は２つのプリズムでなり、このウォラストンプリズム１３５に入射した光は、互いに直交するような２つの直線偏光として出射する。ＰＤ１３７は光ディスクに記録された信号を再生するためのＲＦ  再生信号、サーボ制御に必要なトラッキングエラー信号及びギャップエラー信号等をサーボ制御系１４０に出力する。
【００２７】
サーボ制御系１４０は、後述するギャップサーボモジュール（  フォーカシングサーボモジュール）１５１、その他トラッキングサーボモジュール１５２、チルトサーボモジュール１５３、スピンドルサーボモジュール１５４を有する。トラッキングサーボモジュール１５２は、トラッキングエラー信号に基づき集光素子１１５をトラッキング制御する。チルトサーボモジュール１５３は集光素子１１５のチルト角を制御する。スピンドルサーボモジュール１５４はスピンドルモータ１４８の回転を制御する。オートパワーコントローラ１４１は、ＰＤ１３９から出力された信号に基づき、ＬＤ１３１から出力されるレーザパワーが一定になるようにＬＤドライバ１４２に所定の信号を出力する。
【００２８】
次に、この光ディスク装置１１１の光学系を中心とした動作について説明する。例えば記録媒体となる光ディスク１４７が光ディスク装置１１１にセットされる。そうすると、サーボ制御系１４０により各サーボ制御がなされる。一方、ＬＤ１３１から出射されたレーザ光はコリメータレンズ１３２により平行光とされ、アナモフィックプリズム１３３  により整形される。ＢＳ１３４に入射したレーザ光は、ＢＳ１３４によりそのままＱＷＰ１４３に入射する光と、集光レンズ１３８へ入射する光とに分割される。集光レンズ１３８に入射したレーザ光は上述のようにオートパワーコントローラ１４１によってレーザ光のパワーが一定に制御される。ＱＷＰ１４３  に入射した光は、このＱＷＰ１４３により直線偏光が円偏光とされ、色収差補正レンズ１４４により色収差が補正され、拡張用レンズ１４５及びコリメータレンズ１４６を介して集光素子１１５  に入射する。
【００２９】
集光素子１１５に入射したレーザ光は、後述するように光ディスク１４７に近接場光として集光され、光ディスク１４７に信号を記録する。あるいは、光ディスク１４７に近接場光として集光されたレーザ光は、光ディスク１４７に記録された信号を読み出すために、光ディスク１４７に入射し、当該光ディスク１４７からの反射光または回折光を集光素子１１５が受ける。光ディスク１４７からの反射光または回折光は集光素子１１５を介して戻り光としてコリメータレンズ１４６、拡張用レンズ１４５、色収差補正レンズ１４４及びＱＷＰ１４３を介してＢＳ１３４に入射する。ＢＳ１３４で全反射したレーザ光はウォラストンプリズム１３５及び集光レンズ１３６を介してＰＤ１３７に入射する。ＰＤ１３７によりＲＦ再生信号及びサーボ制御信号が得られ、サーボ制御信号はサーボ制御系１４０に入力されて各サーボ制御がなされる。
【００３０】
図１５および図１６は、集光素子１１５と光ディスク１４７とを示した側面図である。集光素子１１５は光ディスク１４７に対向して配置されている。集光素子１１５は、ＳＩＬ１１２と非球面レンズ１１３とがレンズホルダ１１４に収納されて構成されている。ＳＩＬ１１２は、そのＳＩＬ端面１１２ａがディスク１４７の記録面１４７ａに対面して配置されている。レンズホルダ１１４は、離接機構の少なくとも一部を構成する３軸アクチュエータ１１６に設置されている。３軸アクチュエータ１１６は、図においては簡略してあるが、例えば３軸方向のコイル、ヨーク等でなり、各コイルに所定のサーボ電圧での電流が流れることによりトラッキングサーボ、ギャップサーボを含むフォーカシングサーボ及びチルトサーボの制御が行われる。
【００３１】
図１６は、光ディスク装置１１１の一部を示す側面図である。図１７は、図１５に示す光ディスク装置１１１の下側から見た平面図である。光ディスク装置１１１は、ＳＩＬ端面１１２ａに接触して、ＳＩＬ１１２  をクリーニングするレンズクリーニング機構１６０と、ディスク１４７の記録面１４７ａに接触して、当該記録面１４７ａをクリーニングするディスククリーニング機構１８０とを備えている。
【００３２】
レンズクリーニング機構１６０は、例えばスピンドルモータ１４８上にセットされた光ディスク１４７の外周側に配置されている。レンズクリーニング機構１６０は、例えば図１８（ａ）に示すように、テープ型のクリーナであり、回転ドラム１６３及び１６４、補助ローラ１６５及び１６６を有する。回転ドラム１６３及び１６４が回転することで、補助ローラ１６５及び１６６に沿ってクリーニングテープ１６１が走行する。クリーニングテープ１６１は、ＳＩＬ１１２が傷つかないような柔らかい樹脂等の材質等でなるが、これに限られない。
【００３３】
集光素子１１５は、このレンズクリーニング機構１６０の位置で昇降可能に構成され、テープ１６１に対してＳＩＬ端面１１２ａが接触したり離れたりする。この昇降駆動の方式としては、例えば上記３軸アクチュエータ１１６（特に、ギャップサーボ用のコイル）による駆動でもよいし、あるいはサーボ系とは別の図示しない駆動機構であってもよい。あるいは、集光素子１１５  がレンズクリーニング機構１６０に接近駆動する形態ではなく、レンズクリーニング機構１６０が集光素子１１５に接近駆動する形態も考えられる。
【００３４】
ディスククリーニング機構１８０は、例えば光ディスク１４７の記録面１４７ａに対向して配置されたクリーニング部材１８２及びこれを支持する支持体１８１を有する。支持体１８１は図示しないモータによって昇降可能に構成されている。クリーニング部材１８２は、例えば光ディスク１４７の半径程度の長さの長尺状でなる。クリーニング部材１８２は、記録面１４７ａに接触して塵埃を除去するものであり、例えば繊維状またはメッシュ状で、記録面１４７ａに傷が付かないような材質が用いられるが、これに限られない。例えばレンズペーパ等の材質と同じでよい。
【００３５】
図１８において、光ディスク１４７が光ディスク装置１１１に装填されると、レンズクリーニング機構１６０によりＳＩＬ１１２がクリーニングされる。具体的には、例えば図１８（ａ）  に示すようにテープ１６１から離れた位置にあったＳＩＬ１１２が、図１８（ｂ）に示すようにテープ１６１に接触してテープ１６１が走行する。これにより、ＳＩＬ端面１１２ａに付着した塵埃が除去される。クリーニングが終了すると図１８（ｃ）  に示すようにテープ１６１からＳＩＬ１１２が離れ、ＳＩＬ１１２のクリーニング動作が終了する。
【００３６】
また、従来のカメラの除電装置の概要（特許文献４）を図１９および図２０を用いて説明する。
【００３７】
図１９はシャッタ部２１４、ＣＣＤ２２７、光学ローパスフィルタ２２５、防塵フィルタ２２１等からなる撮像ユニット２１５の組立状態における主要部の断面図である。
【００３８】
図２０は、カメラにおける撮像ユニット２１５の一部を取り出し、これの要部を示す要部分解斜視図である。
【００３９】
図１９および図２０において、撮像ユニット２１５は、撮影光学系を透過し自己の光電変換面上に照射された光に対応した画像信号を得るＣＣＤ２２７と、このＣＣＤ２２７を固定支持する薄板状の部材から成る撮像素子固定板２２８と、ＣＣＤ２２７の光電変換面の側に配設され、撮影光学系を透過して照射される被写体光束から高周波成分を取り除くべく形成される光学的ローパスフィルタ（光学ＬＰＦ）２２５と、光学ＬＰＦ２２５とＣＣＤ２２７  との間の周縁部に配置され、略枠形状の弾性部材等によって形成されるローパスフィルタ受け部材２２６を有している。また、撮像ユニット２１５は、ＣＣＤ２２７を固定保持する撮像素子固定板２２８をビスにより固定すると共に、ローパスフィルタ受け部材２２６を介して光学ＬＰＦ２２５をＣＣＤ２２７とで挟み込むことにより光学ＬＰＦ２２５を固定保持する撮像素子収納ケース部材２２４（ＣＣＤケース２２４）と、このＣＣＤケース２２４の前面側に配置され防塵部材としての防塵フィルタ２２１に一方の開口部を密着し、他方の開口をＣＣＤケース２２４の四角形開口部外周壁に密着して光学ＬＰＦ２２５と防塵フィルタ２２１とで挟まれた空間を密閉する防塵フィルタ受け部材２２３を有している。
【００４０】
ＣＣＤケース２２４には略中央部分に矩形状から成る開口２２４ｃが設けられ、この開口２２４ｃには、その後方側から光学ＬＰＦ２２５及びＣＣＤ２２７が配設されている。上述の如く、光学ＬＰＦ２２５とＣＣＤ２２７との間には、弾性部材等から成るローパスフィルタ受け部材２２６が配設されている。このローパスフィルタ受け部材２２６は、ＣＣＤ２２７の前面側の周縁部にてその光電変換面の有効範囲を避ける位置に配設され、かつ光学ＬＰＦ２２５の背面側の周縁部近傍に当接するようになっている。そして光学ＬＰＦ２２５とＣＣＤ２２７との間を略気密性が保持されるように構成している。これにより、光学ＬＰＦ２２５にはローパスフィルタ受け部材２２６による光軸方向への弾性力が働く。従って、光学ＬＰＦ２２５の前面側の周縁部を、ＣＣＤケース２２４の段部２２４ａに対して略気密的に接触させるように配置することになる。
【００４１】
このようにして、ＣＣＤケース２２４の開口２２４ｃの内部に背面側から光学ＬＰＦ２２５が挿入された後、光学ＬＰＦ２２５の背面側には、ＣＣＤ２２７が配設されるようになっている。また、ＣＣＤ２２７は、上述したように撮像素子固定板２２８を挟んで主回路基板２１６に実装されている。そして、撮像素子固定板２２８は、ＣＣＤケース２２４の背面側光学ＬＰＦ２２５とＣＣＤ２２７との間には、周縁部においてローパスフィルタ受け部材２２６からネジ孔２２４ｅに対してネジ２２８ｂによってスペーサ２２８ａを介してＣＣＤケース２２４に固定されている。
【００４２】
防塵フィルタ２２１は、全体として円形ないし多角形の板状を成し、少なくとも自己の中心から放射方向に所定の広がりを持つ領域が透明部を成しており、この透明部が光学ＬＰＦ２２５の前面側に所定の間隔をもって対向配置されている。また、防塵フィルタ２２１の周縁部には、当該防塵フィルタ２２１に対して振動を与えるための振動部材２２２が固着されている。この振動部材２２２は所定の加振用部材であり、電気機械変換素子２２２ａが一体的に弾性体２２２ｂに固着されている。この電気機械変換素子２２２ａは、例えば接着剤による貼着等の手段により配設されている。一方、振動部材２２２の一端には突起２２２ｃが固着され、他端は突起２２２ｃの振動を阻害しないように粘弾性の接着剤でＣＣＤケース２２４に固着されている。そして突起２２２ｃが防塵フィルタ２２１に固着されている。
【００４３】
この電気機械変換素子２２２ａは図示しない防塵フィルタ駆動部によって所定周期を有する駆動電圧を印加することで、固定された防塵フィルタ２２１と一体の弾性体２２２ｂに所定の振動、即ち定在波振動を発生させることができるように構成されている。発生する定在波は防塵フィルタ面内で略Ｙ軸方向（図１９参照）に振動する。ここで電気機械変換素子２２２ａに印加する駆動電圧の周波数を防塵フィルタ２２１が固着した振動部材２２２が共振を起こす周波数に設定すると、発生する振動振幅が非共振の場合の数十倍から、数百倍となるので、防塵フィルタに付着した塵埃を振動の慣性力で除去する効果も非常に大きくなる。
【００４４】
ところで、上述したように、防塵フィルタ受け部材２２３とＣＣＤケース２２４とは、相互に略気密的に嵌合するように設定さていると同時に、防塵フィルタ受け部材２２３と防塵フィルタ２２１とは、押圧部材２２０の付勢力により、気密的に接合するように設定されている。
【００４５】
光学ＬＰＦ２２５と防塵フィルタ２２１とが対向する間の空間には、所定の空隙部２６１ａが形成される。また、光学ＬＰＦ２２５とＣＣＤ２２７の対向する空間部２６１ｂが形成される。これら空隙部２６１ａ及び空間部２６１ｂは封止空間となっている。この封止空間２６１ａ、２６１ｂ  には外部から塵埃が入り込むことがないから、ＣＣＤ２２７の光電変換面と撮影光学系２１２ａとの間で外部からの塵埃の付着する面は防塵フィルタの撮像光学系２１２ａ側の面のみとなる。
【００４６】
次に、正または負イオンを利用した防塵機構について説明する。防塵フィルタ２２１の撮影画面に対応する部分より上部に細長い形状のイオン発生器２０３が固設されている。そして、このイオン発生器２０３  はパイプ状の送風路２１１を介して送風器２１０に連結されている。この送風器２１０からイオン発生器２０３  に向けて空気流が噴出されるので、イオン発生器２０３から防塵フィルタ２２１の表面に沿って上から下に空気流が流れる。また、防塵フィルタ２２１の下部側であって、イオン発生器２０３と対向する位置に、集塵箱２０４が配置されている。イオン発生器２０３と集塵箱２０４は、図１９に示されるように、防塵フィルタ２２１とシャッタ２１４の間に侠持されている。このシャッタ２１４のシャッタ幕２１４ａと防塵フィルタ２２１によって狭い空間が形成され、この空間に後述するように、イオン発生器２０３によって発生されたイオンが移動することになる。
【先行技術文献】
【特許文献】
【００４７】
【特許文献１】特開２００４−３０８２１号公報
【特許文献２】特開２００７−１２１２６号公報
【特許文献３】特開２００３−３０９００号公報
【特許文献４】特開２００７−２４３６４１号公報
【発明の概要】
【発明が解決しようとする課題】
【００４８】
ＳＩＬ端面に付着した塵埃を除去する場合、クリーニングテープをＳＩＬ端面に直接接触させてふき取ろうとすると、ＳＩＬ端面にキズがつく、クリーニングテープに付着した塵埃が再びＳＩＬ端面に接触してしまう、あるいはクリーニングテープを常に未使用状態とするために巻き取り方式等を構成してもふき取り回数に制限がある、さらにはこのようなＳＩＬ表面の塵埃のふき取り機構やクリーニングテープの巻き取り機構は設置スペースを必要とするため光ディスク設備のサイズが大きくなってしまうという問題点を有していた。
【００４９】
同様に、情報記録媒体に付着した塵埃あるいはヘッド表面に付着した塵埃を接触状態で除去する場合、情報記録媒体およびヘッド表面にキズが発生し、記録および再生特性が大幅に悪化する。
【００５０】
また、単一部品のみを浄化除電しても塵埃が帯電している場合はクーロン力が発生し付着しやすくなる。さらには、塵埃および部品を除電しても塵埃を取り除かない限り再付着する。
【００５１】
一方、一旦付着した塵埃に対して、イオナイザにて＋および−のイオンを発生させることで除電しても、一旦付着した塵埃は有機ガスあるいは水分等の粘性により吸着力が大幅に増加するため、塵埃の除去効率は大幅に悪化する。
【００５２】
本発明は、上記の課題に鑑みて提案されたものであり、情報記録媒体およびヘッドの表面に塵埃が付着しない構成を非接触で実現するために、光ディスクを気流循環促進壁内に収納し、情報記録媒体の回転に気流循環促進壁との間に発生するエアーフローにイオナイザから発生した＋および−のイオンを混入させることで塵埃、情報記録媒体およびヘッドの帯電を除去することができクーロン力により塵埃の付着を防止するとともに情報記録媒体とヘッド間のクーロン力も低減することで、安定した記録再生が可能となり、信頼性の高いディスク記録再生装置を提案するものである。
【課題を解決するための手段】
【００５３】
記録又は再生の少なくともいずれかが行われる記録再生面を有する光情報記録媒体と、前記光情報記録媒体を保持して回転駆動する駆動手段と、光を出射する光源と、前記光情報記録媒体の記録再生面に対向して近接配置された記録又は再生用素子と、前記光情報記録媒体を収納するとともに前記記録または再生用素子が移動可能な開口部とを有した気流循環促進壁と、前記気流循環促進壁の内部または前記気流循環促進壁の周辺に配置した針状の電極針を含んだイオナイザとを有し、前記イオナイザの前記電極針から＋および−のイオンを放出する構成としている。
【００５４】
本構成により気流循環促進壁の内部の塵埃、光情報記録媒体および記録または再生素子の帯電量を低減し前記光情報記録媒体の回転で発生した風の流れで前記気流循環促進壁の内部の塵埃が前記光情報記録媒体と、前記記録または再生素子に付着するのを低減することが可能となり、信頼性の高いディスク記録再生装置の除電装置およびディスク記録再生装置を実現することができる。
【００５５】
望ましくは、前記気流循環促進壁の内部または前記気流循環促進壁の周辺に配置した塵埃捕集フィルタおよび針状の電極針を含んだイオナイザとを有した構成とする。
【００５６】
この構成により前記イオナイザの前記電極針から＋および−のイオンを放出することにより、前記気流循環促進壁の内部の塵埃、前記光情報記録媒体および前記記録または再生素子の帯電量を低減し前記光情報記録媒体の回転で発生した風の流れで前記気流循環促進壁の内部の塵埃を前記塵埃捕集フィルタで捕集することができ前記気流循環促進壁の内部の塵埃が前記光情報記録媒体と、前記記録または再生素子に付着するのを低減することが可能となり、信頼性の高いディスク記録再生装置の除電装置およびディスク記録再生装置を実現することができる。
【００５７】
望ましくは、前記記録または再生用素子は、前記光源から出射された前記光束を近接場光として前記光情報記録媒体の前記記録再生面に集光させることが可能な集光素子としている。
【００５８】
この構成により、前記光情報記録媒体の盤面上に集光させる光束の光スポット径を大幅に小径化することができ、前記光情報記録媒体およびディスク記録再生装置の大幅な高密度および大容量化を実現することができる。
【００５９】
望ましくは、前記記録または再生用素子は、前記記録または再生用素子は前記光源から出射された前記光束をプラズモン共鳴光として前記光情報記録媒体の前記記録再生面に集光させることが可能なプラズモン共鳴アンテナとしている。
【００６０】
この構成により、前記光情報記録媒体の盤面上に集光させる光束の光スポット径をさらに小径化することができ、前記光情報記録媒体およびディスク記録再生装置の一層の高密度および大容量化を実現することができる。
【００６１】
望ましくは、磁気記録再生面を有する磁気記録媒体と、前記磁気記録媒体を保持して回転駆動する駆動手段と、前記磁気報記録媒体の磁気記録再生面に対向して近接配置された記録再生用の磁気ヘッドと、前記磁気録媒体を収納するとともに前記磁気ヘッドが移動可能な開口部とを有した気流循環促進壁と、前記気流循環促進壁の内部または前記気流循環促進壁の周辺に配置した針状の電極針を含んだイオナイザとを有し、前記イオナイザの前記電極針から＋および−のイオンを放出する構成としている。
【００６２】
本構成により気流循環促進壁の内部の塵埃、磁気記録媒体および磁気ヘッドの帯電量を低減し前記磁気記録媒体の回転で発生した風の流れで前記気流循環促進壁の内部の塵埃が前記磁気記録媒体と、前記磁気ヘッドに付着するのを低減することが可能となり、信頼性の高いディスク記録再生装置の除電装置およびディスク記録再生装置を実現することができる。
【００６３】
望ましくは、前記気流循環促進壁の内部または前記気流循環促進壁の周辺に配置した塵埃捕集フィルタおよび針状の電極針を含んだイオナイザとを有した構成とする。
【００６４】
この構成により前記イオナイザの前記電極針から＋および−のイオンを放出することにより、前記気流循環促進壁の内部の塵埃、前記磁気記録媒体および前記磁気ヘッドの帯電量を低減し前記磁気記録媒体の回転で発生した風の流れで前記気流循環促進壁の内部の塵埃を前記塵埃捕集フィルタで捕集することができ前記気流循環促進壁の内部の塵埃が前記磁気記録媒体と、前記磁気ヘッドに付着するのを低減することが可能となり、信頼性の高いディスク記録再生装置の除電装置およびディスク記録再生装置を実現することができる。
【００６５】
望ましくは、前記イオナイザは、記録または再生を行うときに動作するモードと、記録または再生を行うとき以外に動作する除電浄化モードを有する構成とする。
【００６６】
この構成により、記録または再生時あるいはそれ以外の時とに分離して除電浄化モードを行うことができ、効果的な除電浄化モードを実施できるとともに、記録または再生時に気流循環促進壁内の内部の塵埃を大幅に低減することが可能となり、信頼性の高いディスク記録再生装置の除電装置およびディスク記録再生装置を実現することができる。
【００６７】
望ましくは、前記除電浄化モードにおける前記駆動手段の回転数は、高速回転、低速回転および停止を組み合わせた回転数である構成とする。
【００６８】
この構成によりイオナイザにより発生されたイオンを短時間に効率よく、気流循環促進壁の内部の全域、情報記録媒体および記録または再生用素子あるいは磁気ヘッド表面に行き渡らせることができるとともに、前記駆動手段の回転により前記気流循環促進壁の内部に発生する気流によって前記イオンと前記気流循環促進壁の内部の塵埃と電気的な結合効率が低減することがなくなるため、前記塵埃、前記情報記録媒体および前記記録または再生用素子あるいは磁気ヘッドの除電を確実に実施することが可能となり、信頼性の高いディスク記録再生装置の除電装置およびディスク記録再生装置を実現することができる。
【００６９】
望ましくは、前記除電浄化モードは、ディスク記録再生装置に電源を入れたのちに前記駆動手段とともに数秒から数十秒間前記イオナイザを動作させ前記電極針から＋および−のイオンを発生させるか、前記駆動手段があらかじめ定められた一定時間以上停止したのちに、記録あるいは再生動作の終了後またはディスク記録再生装置の電源オフ時に、前記駆動手段とともに数秒から数十秒間、前記イオナイザを動作させる構成としている。
【００７０】
この構成により、記録または再生を行う前に必ず前記除電浄化モードが動作するため、記録または再生時に必ず気流循環促進壁内の内部の塵埃を大幅に低減することが可能となり、信頼性の高いディスク記録再生装置の除電装置およびディスク記録再生装置を実現することができる。
【００７１】
望ましくは、ディスク記録再生装置の電源コンセントが突然抜かれた場合でも前記除電浄化モードを数秒から数十秒の間実施するため、前記ディスク記録再生装置の電源部に大容量のキャパシタを有した構成とする。
【００７２】
この構成により、ディスク記録再生装置の電源コンセントが突然抜かれた場合でも、数秒間から数十秒間は除電装置に電力を供給することが可能となり、除電浄化モードを実施することにより、気流循環促進壁内の内部の塵埃を大幅に低減することができ、ディスク記録再生装置の放置時に情報記録媒体および記録または再生ヘッドの表面に塵埃が蓄積することを防止でき、信頼性の高いディスク記録再生装置の除電装置およびディスク記録再生装置を実現することができる。
【００７３】
望ましくは、記録又は再生の少なくともいずれかが行われる記録再生面を有する光情報記録媒体と、前記光情報記録媒体を保持して回転駆動する駆動手段と、光を出射する光源と、前記光情報記録媒体の記録再生面に対向して近接配置された記録又は再生用素子と、前記光情報記録媒体を収納するとともに前記記録または再生用素子が移動可能な開口部とを有した気流循環促進壁と、前記気流循環促進壁の内部または前記気流循環促進壁の周辺に配置した塵埃捕集フィルタおよび針状の電極針を含んだイオナイザと、前記情報記録媒体、前記記録または再生用素子、前記気流循環促進壁の内部の塵埃の帯電量を検出する帯電センサとを有した構成とする。
【００７４】
この構成により、前記帯電量があらかじめ定めた値を超えたときのみ前記イオナイザから＋および−のイオンを放出する構成とすることができ、前記気流循環促進壁の内部の塵埃、前記光情報記録媒体および前記記録または再生素子の帯電量を前記帯電センサで検出し、帯電量があらかじめ規定した値を超えたときのみ前記イオナイザから＋および−のイオンを放出することができ、効率的に前記光情報記録媒体、前記記録または再生素子、前記気流循環促進壁の内部の塵埃の帯電量を低減し、前記光情報記録媒体の回転で発生した風の流れで前記気流循環促進壁の内部の塵埃を前記塵埃捕集フィルタで捕集することができ、前記気流循環促進壁の内部の塵埃が前記光情報記録媒体と、前記記録または再生素子に付着するのを低減することが可能となり、信頼性の高いディスク記録再生装置の除電装置およびディスク記録再生装置を実現することができる。
【００７５】
また、イオナイザを必要なときのみ動作させてことになるため、イオン発生部の磨耗を抑えることができ、イオナイザの寿命を延ばすことができる。
【００７６】
望ましくは、記録又は再生の少なくともいずれかが行われる記録再生面を有する磁気記録媒体と、前記磁気記録媒体を保持して回転駆動する駆動手段と、前記磁気記録媒体の記録再生面に対向して近接配置された磁気ヘッドと、前記磁気記録媒体を収納するとともに前記磁気ヘッドが移動可能な開口部を有した気流循環促進壁と、前記気流循環促進壁の内部または前記気流循環促進壁の周辺に配置し塵埃捕集フィルタおよび針状の電極針を含んだイオナイザと、前記磁気記録媒体、磁気ヘッドおよび前記気流循環促進壁の内部の塵埃の帯電量を検出する帯電センサとを有した構成とする。
【００７７】
この構成により前記気流循環促進壁の内部の塵埃、前記磁気記録媒体、磁気ヘッドおよび前記気流循環促進壁の内部の塵埃の帯電量を前記帯電センサで検出し、帯電量があらかじめ規定した値を超えたときのみ前記イオナイザから＋および−のイオンを放出することにより、効率的に前記磁気記録媒体、磁気ヘッドおよび前記気流循環促進壁の内部の塵埃の帯電量を低減し前記磁気記録媒体の回転で発生した風の流れで前記気流循環促進壁の内部の塵埃を前記塵埃捕集フィルタで捕集することができ前記気流循環促進壁の内部の塵埃が前記磁気記録媒体と磁気ヘッドに付着するのを低減することが可能となり、信頼性の高いディスク記録再生装置の除電装置およびディスク記録再生装置を実現することができる。
【００７８】
また、イオナイザを必要なときのみ動作させてことになるため、イオン発生部の磨耗を抑えることができ、イオナイザの寿命を延ばすことができる。
【００７９】
望ましくは、光情報記録媒体および前記記録または再生用素子、あるいは磁気記録媒体および磁気ヘッドはそれぞれ複数有した構成とする。
【００８０】
この構成により、記録媒体および記録または再生用のヘッドを複数個搭載することが可能となり、一層の大容量を有したディスク記録再生装置を実現することができる。
【００８１】
望ましくは、前記イオナイザは高電圧を印加することでイオンを発生する針状の電極針と、高圧電源およびアース電極より構成され、前記高圧電源により前記電極針に＋の高電圧および−の高電圧をそれぞれ印加することにより＋および−のイオンが前記電極針の先端から発生されるいわゆるコロナ放電方式の構成とする。
【００８２】
この構成により、比較的安価かつ簡単な構成で高性能なディスク記録再生装置の除電装置を実現でき、安価かつ高性能なディスク記録再生装置の除電装置およびディスク記録再生装置を実現することができる。
【００８３】
望ましくは、前記塵埃捕集フィルタはポリプロピレンなどの樹脂から製造され、あらかじめ設定された格子間隔を有する格子状の繊維層から構成された非エレクトリックフィルタとする。
【００８４】
この構成により、前記イオナイザを動作させ＋イオンおよび−イオンを放出した場合でも前記塵埃捕集フィルタの捕集効率（一回の通過で規定の粒子径の塵埃を捕集する効率）を低減させることなく、長時間使用した場合でも安定した捕集効率を実現することができ高性能かつ高信頼性のディスク記録再生装置の除電装置およびディスク記録再生装置を実現することができる。
【発明の効果】
【００８５】
本発明の光学ヘッド及び光情報装置によれば、ＳＩＬ端面に付着した塵埃を除去する構成として、クリーニングテープを用いＳＩＬ端面に直接接触させてふき取る接触式ではなく、簡素な構成のため、ＳＩＬ端面の塵埃のふき取り機構やクリーニングテープの巻き取り機構等の設置スペースを必要としないため光ディスクドライブのサイズを大幅に小型化することが可能となる。さらには、ＳＩＬ端面にクリーニングテープに付着した塵埃が再び付着しないようにする、クリーニングテープを常に未使用状態とするために巻き取り方式等の装置を必要としないため、一層の小型化とふき取り回数に制限がない信頼性の高いディスク記録再生装置の除電装置およびディスク記録再生装置をできる。
【００８６】
光ディスクまたは磁気ディスクなどの情報記録媒体を気流循環促進壁の内部に収納し、情報記録媒体の回転に伴い気流循環促進壁と情報記録媒体の間に流速の速いエアーフローを発生させそのエアーフロー内の塵埃を捕集することで情報記録媒体およびヘッドの表面に塵埃が付着することを非接触で防止する構成としている。塵埃を非接触で除去する構成を実現するために、記録または再生を行う前に除電浄化モードを設け塵埃を捕集することで情報記録媒体とヘッド間に塵埃が侵入することを防止するとともに情報記録媒体およびヘッド上に塵埃が付着することを防止する。
【００８７】
また、記録または再生動作の終了時あるいはディスク記録再生装置の停止前に浄化モードを設け塵埃、気流循環促進壁の内部の塵埃を捕集することで、エアーフローがなくなり塵埃が情報記録媒体およびヘッドの表面に落下して付着することを防止する。
【００８８】
さらに、記録および再生の動作中においても気流循環促進壁の内部のエアーフロー内の塵埃も効率よく捕集することで情報記録媒体とヘッド間に塵埃が侵入することを防止する。
【００８９】
塵埃の捕集は、気流循環促進壁は設け情報記録媒体の回転により流速の速いエアーフローを発生させ気流循環促進壁と情報記録媒体との間に設けた塵埃捕集フィルタによりエアーフロー内部の塵埃を捕集する。このとき塵埃、情報記録媒体およびヘッドの静電気（帯電）を除去することで塵埃、情報記録媒体およびヘッド間のクーロン力を低減することが可能となり、塵埃が情報記録媒体およびヘッドの表面に付着することを防止できる。同時に、情報記録媒体とヘッド間のクーロン力も低減することもでき、情報記録媒体とヘッドの間隔を安定とすることが可能となる。
【００９０】
この構成により、非接触で信頼性が高くかつ簡素な構成で情報記録媒体およびヘッド表面を塵埃の付着のないクリーンな状況に保つことが可能となり、情報記録媒体およびヘッドの相対距離を安定に保つことができ、信頼性の高い記録および再生が可能とすることができ、高性能かつ信頼性の高いディスク記録再生装置の除電装置およびディスク記録再生装置を実現できる。
【図面の簡単な説明】
【００９１】
【図１】本発明の実施の形態１における光学ヘッドの光路図の略図
【図２】本発明の実施の形態１における光ディスク記録再生装置および除電装置の構成図
【図３】本発明の実施の形態１における４分割受光領域でのギャップ制御に用いる光スポット形状を示す図
【図４】本発明の実施の形態１おける気流循環促進壁および光ディスクの構成を示した略図
【図５】本発明の実施の形態１おける光ディスク表面の流れの状態を示した略図
【図６】本発明の実施の形態１における除電装置の構成図
【図７】本発明の実施の形態１における状電装置の動作フローを示す図
【図８】本発明の実施の形態２おけるディスク記録再生装置の部分的な構成を示した略図
【図９】本発明の実施の形態２おける気流循環促進壁および磁気ディスクの構成を示した略図
【図１０】本発明の実施の形態２おける磁気ディスク表面の流れの状態を示した略図
【図１１】本発明の実施の形態３におけるディスク記録再生装置の部分的な構成を示した略図
【図１２】本発明の実施の形態３における光ディスクの表面の流れを示した略図
【図１３】本発明の実施の形態３におけるディスク記録再生装置の部分的な構成を示した図
【図１４】従来の光学ヘッドにおける光学ヘッドの光学系の構成図
【図１５】従来の光学ヘッドの部分的な略図
【図１６】従来の光学ヘッドの部分的な略図
【図１７】従来の光ディスク装置の部分的な略図
【図１８】従来の光ディスク装置のクリーニング機構の部分的な略図
【図１９】従来のカメラの撮像ユニットの組立状態における主要部の断面図
【図２０】従来のカメラの撮像ユニットの主要部の分解斜視図
【発明を実施するための形態】
【００９２】
以下本発明の実施の形態について、図面を参照しながら説明する。
【００９３】
（実施の形態１）
図１〜図４は、本発明の実施の形態１におけるディスク記録再生装置を示したものである。
【００９４】
光学ヘッド２０の光学系の構成図である。図１において、光学ヘッド２０は半導体レーザ１、リレーレンズ２、ビームスプリッタ３、コリメータレンズ４、対物レンズユニット５、対物レンズアクチュエータ６、ホログラム素子１０、シリンドリカルレンズ８、光検出器９を有した構成とする。また、対物レンズユニット５は光ディスク２１に対向して配置されており、ＳＩＬ１５と非球面レンズ１６とがレンズホルダ１７に収納されて構成されている。ＳＩＬ１５は、そのＳＩＬ端面１４が光ディスク２１の信号記録面２２に対面して配置されている。
【００９５】
光源としての半導体レーザ１から出た光束は、リレーレンズ２により光源側の焦点距離を微調整され、リレーレンズ２を透過した光束はビームスプリッタ３で反射された後コリメータレンズ４で平行光束に変換され、対物レンズユニット５に入射する。
【００９６】
対物レンズユニット５に入射したレーザ光は、光ディスク２１の信号記録面２２に近接場光として集光され、光ディスク２１の信号記録面２２に信号を記録する。あるいは、光ディスク２１の信号記録面２２に近接場光として集光されたレーザ光は、信号記録面２２に記録された信号を読み出すために、光ディスク２１に入射し、光ディスク２１からの反射光または回折光が対物レンズユニット５に入射する。
【００９７】
対物レンズユニット５は対物レンズアクチュエータ６（詳細は図示せず）により光軸方向（フォーカス方向）及び光ディスク２１のトラッキング方向（ラジアル方向）に駆動される。光ディスク２１の信号記録面２２で反射・回折された光束は再び対物レンズユニット５を透過し、コリメートレンズ４およびビームスプリッタ３に入射する。
【００９８】
ビームスプリッタ３を透過した光束はホログラム素子１０に入射し、いわゆる１ビーム法（ＡＰＰ法）のトラッキングエラー信号を発生する。
【００９９】
ホログラム素子１０を透過した光束はシリンドリカルレンズ８に入射しシリンドリカルレンズ８を透過後、光検出器９に入射する。
【０１００】
光検出器９に入射した光束を演算することでトラッキングエラー信号を生成し、光ディスク２１の信号記録面２２のトラックに対して対物レンズユニット５を追従させるトラッキングサーボを行う。
【０１０１】
また、同様にフォーカスエラー信号を生成し、光ディスク２１の面振れ等により、信号記録面２２と対物レンズユニット５との相対距離が変化に追従するようフォーカスサーボを行うとともに、信号記録面２２からの反射信号を演算することで記録信号を読み取ることが可能となる。
【０１０２】
図２は光情報装置としての光ディスク記録再生装置９０の全体の構成例を示す。光ディスク記録再生装置９０はチャッキング２４とターンテーブル２５ではさんで固定され、駆動手段の一例であるスピンドルモータ（回転系）２６によって回転させられる。光学ヘッド２０はトラバース（移送系）２７上に乗っており、光学ヘッド２０が光ディスク２１の内周から外周まで移動できるようにしている。
【０１０３】
制御回路２８は光学ヘッド２０から受けた信号をもとにフォーカス制御、トラッキング制御、トラバース制御、スピンドルモータ２６の回転制御等を行う。また信号処理回路２９は再生信号から情報の再生を行い入出力回路３０に出力する。入出力回路３０から入ってきた信号は制御回路２８を通じて光学ヘッド２０へ送出する。
【０１０４】
さらに、光ディスク２１は気流循環促進壁３１内に格納されており、記録再生時は、気流循環促進壁３１の気流循環促進壁開口部３２に対物レンズユニット５の一部（たとえば、ＳＩＬ１５およびレンズホルダ１７）が入り込む構成となる。
【０１０５】
また、近接場光を用いる光ディスク記録再生装置９０では、ＳＩＬ端面１４と情報記録面２２との間のギャップを近接場光が生じる距離（ニアフィールド）に制御する必要がある。レーザ光の短波長化に伴いこのギャップは、数十ｎｍ程度となっており、実施の形態１では２０ｎｍ〜３０ｎｍとしており、このギャップが常に一定となるギャップ検出信号とギャップ制御手段とを有している。ギャップ検出信号の一例としては、ＳＩＬ端面１４から反射する光量を、光検出器９の４分割受光領域で受光し、その総和を（全反射戻り光量）が一定となる構成としている。
【０１０６】
一方、実施の形態１では光ディスク２１およびＳＩＬ端面に塵埃が付着しにくい構成とするため、光ディスク２１の表面、ＳＩＬ端面１４および、気流循環促進壁３１の内部の塵埃の帯電を除去する構成としている。
【０１０７】
具体的には、光ディスク２１は気流循環促進壁３１と近接し（１００μｍ程度から５ｍｍ程度）、ほぼ覆われた構成とする。このとき近接距離は近いほうが流速は早くなり気流循環促進壁３１の効果が大きくなる。
【０１０８】
また、気流循環促進壁３１には循環フィルタ３７が取り付けられており、気流循環促進壁３１の内部を循環する風の一部がこの循環フィルタ３７を通過することで風に含まれる塵埃を捕集することが出来る。このとき、この循環フィルタ３７の塵埃捕集率は循環フィルタ３７の圧力損失等の仕様により異なる。この、循環フィルタ３７はポリプロピレンなどから構成され、あらかじめ設定された格子間隔を有する格子状の繊維層から構成されており、５０ｎｍあるいは１００ｎｍ以上の塵埃を一回の通過毎に数十％以上捕集する。そのときの圧力損失は約数ｍｍＡｑ〜数十ｍｍＡｑに設定されている。また、この循環フィルタ３７はフィルタの表面に＋および−のイオンを帯びていないいわゆるエレクトリックフィルタ（帯電不織布）ではない構成とする。エレクトリックフィルタとした場合は、イオナイザ３５の発生する＋および−のイオンと結合し、数年の長期使用をした場合著しく塵埃の捕集効率が悪化する。
【０１０９】
さらに、光ディスク記録再生装置内にイオナイザ３５を設け、気流循環促進壁３１の内周部付近にイオナイザ３５の電極針３６を設け、イオナイザ３５の駆動回路３８によりイオナイザ３５を動作させ、電極針３６の先端から＋および−のイオンを発生させる。
【０１１０】
このとき、電極針３６は単針とし、＋および−のイオンは一定時間ごとに交互に放出される構成とする。また、イオナイザ３５の動作は、入出力回路３０または制御回路２８を介しスピンドルモータ２６の動作と同期している。
【０１１１】
光ディスク２１を覆った気流循環促進壁３１の内部または周辺は光ディスク２１の回転（数千ｒｐｍ時）により数十ｍ／Ｓの風の流れが発生しており、風の流れの周辺にて電極針３６により＋および−のイオンを発生させることにより、気流循環促進壁３１の内部全域および光ディスク２１の表面、ＳＩＬ端面１４および、気流循環促進壁３１の内部の塵埃と結合することとなる。
【０１１２】
このとき、静電気により光ディスク２１、ＳＩＬ端面１４および気流循環促進壁３１の内部の塵埃が＋または−の電位に帯電している場合、＋または−のイオンと結合し、電気的に中和され除電される。除電されることにより、いわゆるクーロン力が小さくなり、気流循環促進壁３１の内部の塵埃が光ディスク２１、ＳＩＬ端面１４への付着を大幅に低減することが可能となり、光ディスク２１およびＳＩＬ端面１４間に塵埃が入り込み光ディスク２１およびＳＩＬ端面１４のキズの発生を大幅に低減することが可能となる。
【０１１３】
図３は、ギャップ制御を行うための、４分割受光領域におけるスポット形状を示した図で、ニアフィールドおよびファーフィールドのギャップと全反射戻り光量との関係を示した一例である。
【０１１４】
ＳＩＬ端面１４からの反射光は、ＳＩＬ端面１４と光ディスク２１の表面がファーフィールド状態（一般的には１００ｎｍ以上のギャップ）にある場合はＳＩＬ端面１４における全反射領域のみの光束が反射されて４分割受光領域に入射するためドーナツ状の光分布となる。一方、ＳＩＬ端面１４と光ディスク２１の表面が接触した場合はＳＩＬ端面１４での全反射領域での反射がなくなるため、ＳＩＬ端面１４からの反射光量が大幅に低下し、ほぼ０ｍＶとなる。このとき、ＳＩＬ１５と光ディスク２１の表面のカバー層（１ミクロン程度）の屈折率はほぼ２程度と一致させている。
【０１１５】
光検出器９の受光部のゲイン設定にもよるが、ギャップを２５ｎｍ付近とするためには約１５０ｍＶ程度になるよう、対物レンズアクチュエータ６をフォーカス方向にギャップ制御する必要がある。
【０１１６】
図４（ａ）、（ｂ）、（ｃ）は、気流循環促進壁３１、気流循環促進壁開口部３２、光ディスク２１、スピンドルモータ２６、ターンテーブル２５、チャッキング２４、レンズホルダ１７、対物レンズ１６（非球面レンズ）、ＳＩＬ１５およびＳＩＬ端面１４の構成を示した概略図で、それぞれ上面図、側面の断面図、下面図である。
【０１１７】
光ディスク２１は気流循環促進壁３１内でターンテーブル２５の上面に配置されチャッキング２４ではさみこまれる（詳細は図示せずしないが、マグネットの磁力等を用いチャッキング２４とターンテーブル２５を互いに吸引）。スピンドルモータ２６の回転に伴い光ディスク２６が回転する（時計まわりとしたが、反時計まわりの構成でもよい）。対物レンズ１６およびＳＩＬ１５はレンズホルダ１７に保持され、対物レンズアクチュエータ６（詳細は図示せず）にサスペンション等の弾性材で支持され光ディスク２１のラジアル方向およびフォーカス方向に移動可能状態となる。対物レンズアクチュエータ６は光学ヘッド２０の光学ベース（図示せず）上に保持され、光ディスク２１の内周側から外周側に移動する。この時気流循環促進壁３１の気流循環促進壁開口部３２にはレンズホルダ１７の一部とＳＩＬ１５が入りこんだ構成とする。
【０１１８】
図５（ａ）、（ｂ）、（ｃ）は、図３の構成において、光ディスク２１の回転に伴い発生する気流循環促進壁３１内部の風の流れを示したものである。
【０１１９】
気流循環促進壁３１内の風の流れを見やすくするため、レンズホルダ１７、ＳＩＬ１５およびＳＩＬ端面１４等の光学ヘッド２０の構成要素は表示していない。
【０１２０】
図５（ａ）は光ディスク２１の上面と気流循環促進壁３１との間の風の流れを示している。光ディスク２１の回転に伴い光ディスク２１の上面には円周状の流れが発生する。この流れの流速は、光ディスク２１の回転数が大きいほど大きくなる。また流速は、内周から外周に向かうに従い大きくなる。一方、光ディスク２１の回転に伴い流速の小さな内周側と流速の大きな外周側と気流循環促進壁１２７の内壁の間に圧力分布が発生する。内周側の圧力に比べ外周側の圧力が高くなるため光ディスク２１の上面における風の流れは内周から外周に向かうらせん状の流れとなり、気流循環促進壁３１の外周部分に向かった流れとなる。
【０１２１】
図５（ｃ）は光ディスク２１の下面と気流循環促進壁３１との間の風の流れを示している。図５（ａ）と同様に光ディスク２１の回転に伴い光ディスク２１の下面には円周状の流れが発生する。この流れの流速は、光ディスク２１の回転数が大きいほど大きくなる。また流速は、内周から外周に向かうに従い大きくなる。一方、光ディスク２１の回転に伴い流速の小さな内周側と流速の大きな外周側と気流循環促進壁３１の内壁の間に圧力分布が発生する。内周側の圧力に比べ外周側の圧力が高くなるため光ディスク２１の下面における風の流れは内周から外周に向かうらせん状の流れとなり、気流循環促進壁３１の外周部分に向かった流れとなる。この時、光ディスク２１の下側は、気流循環促進壁３１とターンテーブル２５との隙間があり、圧力が低い内周部では気流循環促進壁３１の外側から風を吸引することとなり、光ディスク２１の上面側に比べ一層内周から外周に向かうらせん状の流れが大きくなり、気流循環促進壁３１の外周側に向かう流速が大きくなる。また、気流循環促進壁開口部３２の内周付近も同様に圧力が低い状態であるため、空気が流入する。
【０１２２】
図５（ｂ）は気流循環促進壁３１の断面における風の流れを示したものである。
【０１２３】
光ディスク２１の上面および下面において、内周から外周に向かって流れる風と、光ディスク２１の下面の内周から流入する風の影響で、気流循環促進壁開口部３２の外周部分では気流循環促進壁３１内部から気流循環促進壁３１の外部に吹き出す風が発生する。また、気流循環促進壁３１の外周部においては、気流循環促進壁３１の内周付近から流入する風（空気）のおよび外周付近から流出する流量と、気流循環促進壁開口部３２の内周付近から流入する風（空気）およびを気流循環促進壁開口部３２の外周部分から吹き出す風（空気）の流量との総和はほぼ０となる。
【０１２４】
光ディスク２１に対して気流循環促進壁３１を近接しほぼ全域を覆うことで、光ディスク２１の回転により発生する流速が安定し、気流循環促進壁３１で覆われた領域の流速の平均値が速くなるとともに、風の流れの循環が効率的に行われる。また、光ディスク２１の回転および気流循環促進壁３１を近接したことにより、光ディスク２１と気流循環促進壁３１間の圧力は、光ディスク２１の中心部が負圧となり、外周部は陽圧となるため、発生する流速は大きくなり、内周側から外周側に向かい大きくかつ安定した流速が発生する。従って、気流循環促進壁３１の中心付近から電極針３６にて＋および−のイオンを発生させることにより、効率的に気流循環促進壁３１の内部全域にイオンを分散させることが可能となり、光ディスク２１、ＳＩＬ端面１４および気流循環促進壁３１の内部の塵埃を効率的に除電することができ、光ディスク２１およびＳＩＬ端面１４への塵埃の付着を大幅に低減することが可能となり、光ディスク２１およびＳＩＬ端面１４間に塵埃が入り込み光ディスク２１およびＳＩＬ端面１４のキズの発生を大幅に低減することとなるため、光ディスク記録再生装置の信頼性を大幅に向上させることができる。
【０１２５】
図６は実施の形態１におけるディスク記録再生装置９０の内部に構成されたイオナイザ３５および駆動回路３８からなる除電装置を示した図である。
【０１２６】
図６においてイオナイザ３５、イオンを発生する電極針３６および電極針３６に＋または−の高電圧を印加する電源およびアース電極より構成され、駆動回路３８により制御回路２８または入出力回路３０と同期させて印加電圧（または電流）の値および動作オンまたは動作オフを制御する。
【０１２７】
実施の形態１では図６（ａ）に示すように、電極針３６は１つとして、＋および−のイオンを交互に一定時間放出する構成としたが、図６（ｂ）に示すように、電極針３６を２つとして＋および−のイオンをそれぞれ一定時間放出する構成としても良い。
【０１２８】
また、電極針３６は気流循環促進壁３１の上面の中心部に一箇所としたが、光ディスク２１の外周部あるいは気流循環促進壁３１の下面または気流循環促進壁３１の外周部付近に単数または複数個として問題ない。
【０１２９】
また、実施の形態１では、イオナイザ３５はいわゆるコロナ放電方式としたが、軟Ｘ線、α腺あるいは紫外線を用いたいわゆる電離放射線方式としてもよい。
【０１３０】
図７は、光ディスク記録再生装置９０の除電浄化モードを示した図である。光ディスク記録再生装置９０の電源をオンした状態からオフまでの動作フローを説明する。
【０１３１】
光ディスク記録再生装置９０の電源をオンにした後、あるいは停止状態から記録再生動作に入る前に除電浄化モードを実施する。また、記録再生動作の終了時あるいは光ディスク記録再生装置９０の電源がオフとなった場合にも再び除電浄化モードを設ける構成とする。
【０１３２】
除電浄化モードは、イオナイザ３５によりイオンを放出し、スピンドルモータを高速回転させる。その後スピンドルモータ２６が停止または低速回転させる。イオナイザ３５によるイオンの放出とスピンドルモータ２６の回転動作はどちらが先になっても可であり、同時になっても機能上問題ない。
【０１３３】
イオナイザ３５の動作時にスピンドルモータを高速回転させるのは、イオンを効率よく気流循環促進壁３１内にいきわたらせるためであり、その後スピンドルモータ２６を低速回転または停止させるのは、イオンと光ディスク２１、ＳＩＬ端面１４および気流循環促進壁３１の内部の塵埃との電荷とを効率よく結合させるためである。
【０１３４】
また、同様に記録再生動作の終了時あるいは光ディスク記録再生装置９０の電源がオフされた場合は、スピンドルモータ２６が停止し重力およびクーロン力により、光ディスク２１およびＳＩＬ端面１４の表面に気流循環促進壁３１の内部の塵埃が付着することを防ぐために除電浄化モードを実施する構成とする。
【０１３５】
尚、実施の形態１では、除電浄化モードにてイオナイザ３５からイオンを放出した後スピンドルモータ２６の回転速度を上げたが、記録再生時の通常回転または低速回転でもよい。
【０１３６】
また、除電浄化モードのトータル時間の推奨は数秒から数十秒とし、イオン放出、スピンドルモータ２６の高速回転、スピンドルモータ２６の低速回転およびスピンドルモータ２６の通常回転（記録再生時の回転数）の組み合わせおよび繰り返し回数は装置ごとに設定するものとする。さらに、＋イオン放出の時間、−イオン放出の時間、スピンドルモータ２６の回転時間は任意に設定可能とする。
【０１３７】
実施の形態１では前記の除電浄化モードは記録再生動作の前後としたが記録再生動作中に行っても効果が大きいことはいうまでもない。
【０１３８】
また、実施の形態１では光ディスク記録再生装置９０の電源がオフされた場合に除電浄化モードを行うとしたが、不意に電源コンセントを抜かれた場合でも除電浄化モードが行われるように光ディスク記録再生装置９０の電源部分に大容量のキャパシタ（コンデンサ）を設け、数秒から数十秒の除電浄化モードを行える構成としてもよい。
【０１３９】
さらに、除電浄化モードはイオナイザ３５でイオンを放出し帯電物を除電したのち、光ディスク２１（情報記録媒体）の回転と気流循環促進壁３１で発生する気流を利用し浄化フィルタ３７で塵埃を捕集するとしたが、除電を行わず（イオナイザ３５からイオンを発生せず）浄化のみ（浄化フィルタ３７）で塵埃を捕集のみ行っても一定の効果がある。
【０１４０】
尚、実施の形態１では、循環フィルタ３７はポリプロピレン等の樹脂材料で形成された非エレクトリックフィルタとしたが、エレクトリックフィルタであっても一定レベルの捕集効果はあるため、構成によってはエレクトリックフィルタとしても問題ない。
【０１４１】
また、浄化フィルタ３７の設置場所は、気流循環促進壁３１の上面部１箇所としたが、気流循環促進壁３１の内部および気流循環促進壁３１の周辺部であっても問題ないし複数あっても問題ない。
【０１４２】
（実施の形態２）
次に、実施の形態２について図８、図９および図１０を用いて説明する。
【０１４３】
実施の形態１との主な違いは、情報記録方式が光記録から磁気記録になること、情報記録媒体が光ディスクから磁気ディスクに変わること、記録ヘッドが光ヘッドから磁気ヘッドに変わること、記録ヘッドの駆動方法が直動から回転方式に変わること、記録ヘッドと情報記録媒体の位置制御がギャップサーボから情報記録媒体の回転により発生する気流を利用した流体浮上に変わること、情報記録媒体のターンテーブルへの固定方法が磁気クランプ方式からねじ固定方式に変わることなどが挙げられる。以下図面を用いて構成および動作を詳細に説明する。
【０１４４】
図８（ａ）および（ｂ）は実施の形態２におけるディスク記録再生装置の部分的な構成を示した略図である。図８（ａ）および（ｂ）において、５０は磁気記録用の情報記録媒体となる磁気ディスク、５１は記録および再生を行う磁気ヘッド、５２は磁気ヘッド５１を保持しかつ磁気ディスク５０の回転で発生する流速で浮上するスライダ、５３はスライダをいわゆるジンバルと呼ばれるやわらかい板バネ構成（図示せず）を介して保持するサスペンション、５４はサスペンションを保持するスイングアーム、５５はスイングアームを磁気ディスク５０の面内で回動させるボイスコイルモータであり回転軸、コイル、マグネットおよびヨーク等から構成されている（詳細は図示せず）。また、５６は磁気ヘッド５１に記録信号を供給したり磁気ヘッド５１からの再生信号を伝送するＦＰＣ、５７は磁気ヘッド５１からの再生信号を増幅するヘッドアンプ、５８は回路基板、５９はメカ部品および回路部品を固定するフレームである。
【０１４５】
また、図９（ａ）および（ｂ）は図８に示したディスク記録再生装置９０の気流循環促進壁３１および磁気ディスク５０のチャッキング構成を示した図である。スピンドルモータ２６はおよびボイスコイルモータ５５はフレーム５９に固定されており、磁気ディスク５０はキャップ６０および固定ねじ６１によりターンテーブル２５に固定され、スピンドルモータ２６の回転により数千ｒｐｍの回転数で精度よく回転する。また、気流循環促進壁３１の一部はフレーム５９に保持され位置きめされる。
【０１４６】
一方、スイングアーム５５、サスペンション５４、スライダ５２および磁気ヘッド５１は気流循環促進壁３１の中に入りこみ磁気ディスク５０の表面を回動し、磁気ヘッド５１により磁気ディスク５０に情報を記録したり、磁気ディスク５０に記憶された情報を再生する。
【０１４７】
磁気ヘッド５１およびスライダ５２は磁気ディスク５０の回転により発生する流速により浮上するが、浮上量はサスペンション５３等の設計にもよるが、数ｎｍから数十ｎｍ程度となり、スライダ５２および磁気ヘッド５１と磁気ディスク５０の表面との間に塵埃が入り込むと磁気ヘッド５１およびスライダ５２および磁気ディスク５０にキズが発生し、ディスク記録再生装置９０の記録再生性能が大幅に悪化する。
【０１４８】
図１０（ａ）および（ｂ）は磁気ディスク５０の回転および気流循環促進壁３１により発生する磁気ディスク５０の表面付近の風の流れを示したものである。風は実施の形態１と同様に内周から外周に向かってらせん状に広がっていくことになる。このとき、風速は、磁気ディスク５０の回転数が数千ｒｐｍの場合、数十ｍ／ｓに達し、スライダ５２の浮上力を発生する。また、循環フィルタ３７は気流循環促進壁３１に固定され、イオナイザ３５の電極針３６は気流循環促進壁３１の中心付近に固定されている。
【０１４９】
この構成により、情報記録媒体が磁気ディスク５０となり、磁気ヘッド５１と磁気ディスク５０の相対距離が数ｎｍ〜数十ｎｍの浮上量の構成においても、気流循環促進壁３１、イオナイザ３５、電極針３６および循環フィルタ３７により実施の形態１と同様に磁気ディスク５０、磁気ヘッド５１、スライダ５２および気流循環促進壁３１内の塵埃を精度よく除電および浄化することが可能となり、ディスク記録再生装置９０の記録再生性能および信頼性を向上させることが可能となる。
【０１５０】
尚、実施の形態２において、磁気ディスク５０、磁気ヘッド５１、スライダ５２、サスペンション５３およびスイングアーム５３は１つとしたが、複数としても問題ない。
【０１５１】
また、循環フィルタ３７の設置場所は、実施の形態１と同じく、気流循環促進壁３１の上面部１箇所としたが、気流循環促進壁３１の内部および気流循環促進壁３１の周辺部であっても問題ないし複数あっても問題ない。
【０１５２】
また、電極針３６は気流循環促進壁３１の上面の中心部に一箇所としたが、磁気ディスク５０の外周部あるいは気流循環促進壁３１の下面または気流循環促進壁３１の外周部付近に単数または複数個として問題ない。
【０１５３】
尚、実施の形態２では記録方式は磁気記録としたが、熱アシストの磁気記録方式を用いたディスク記録再生装置でも問題ない。
【０１５４】
（実施の形態３）
次に、実施の形態３について図１１および図１２を用いて説明する。
【０１５５】
実施の形態２との違いは、情報記録方式が磁気記録から光記録になること、情報記録媒体が磁気ディスクから光ディスクに変わること、記録ヘッドが磁気ヘッドからプラズモン共鳴を用いた光ヘッドに変わることなどが挙げられる。以下図面を用いて構成および動作を詳細に説明する。
【０１５６】
図１１（ａ）および（ｂ）は実施の形態３におけるディスク記録再生装置の部分的な構成を示した略図である。図１１（ａ）および（ｂ）において、６５は光記録用の情報記録媒体となる光ディスク、６６はいわゆるプラズモン共鳴用の光源と半導体レーザ、６７は半導体レーザからの光束により光ディスク６５との間にいわゆるプラズモン共鳴を発生させる金属アンテナ、６８は半導体レーザ６６を搭載するスライダである。
【０１５７】
スライダ６８、半導体レーザ６６および金属アンテナ６７は実施の形態２と同様に光ディスク６５の回転で発生する流速で浮上し、スライダ６８はいわゆるジンバルと呼ばれるやわらかい板バネ構成（図示せず）を介してサスペンション５３に保持される。また、５４はサスペンションを保持するスイングアーム、５５はスイングアームを光ディスク６５の面内で回動させるボイスコイルモータであり回転軸、コイル、マグネットおよびヨーク等から構成されている（詳細は図示せず）。また、図８に示した実施の形態２のＦＰＣ５６は実施の形態３においては半導体レーザ６６等のヘッド部に記録信号を供給したりヘッド部からの再生信号を伝送する。また同様に５７はヘッド部からの再生信号を増幅するヘッドアンプである。
【０１５８】
図１２（ａ）および（ｂ）は光ディスク６５の回転および気流循環促進壁３１により発生する光ディスク６５の表面付近の風の流れを示したものである。風は実施の形態２と同様に内周から外周に向かってらせん状に広がっていくことになる。このとき、風速は、光ディスク６５の回転数が数千ｒｐｍの場合、数十ｍ／ｓに達し、スライダ６８の浮上力を発生する。また、循環フィルタ３７は気流循環促進壁３１に固定され、イオナイザ３５の電極針３６は気流循環促進壁３６の中心付近に固定されている。
【０１５９】
この構成により、情報記録媒体が光ディスク６５となり、いわゆるプラズモン共鳴を発生させるための金属アンテナ６７とスライダ６８と光ディスク６５の相対距離が数ｎｍ〜数十ｎｍの浮上量の構成においても、気流循環促進壁３１、イオナイザ３５、電極針３６および循環フィルタ３７により実施の形態２と同様に光ディスク６５、金属アンテナ６７、スライダ６８および気流循環促進壁３１内の塵埃を精度よく除電および浄化することが可能となり、ディスク記録再生装置９０の記録再生性能および信頼性を向上させることが可能となる。
【０１６０】
尚、循環フィルタ３７の設置場所は、実施の形態２と同じく、気流循環促進壁３１の上面部１箇所としたが、気流循環促進壁３１の内部および気流循環促進壁３１の周辺部であっても問題ないし複数あっても問題ない。
【０１６１】
また、電極針３６は気流循環促進壁３１の上面の中心部に一箇所としたが、光ディスク６５の外周部あるいは気流循環促進壁３１の下面または気流循環促進壁３１の外周部付近に単数または複数個として問題ない。
【０１６２】
また、実施の形態３においても、光ディスク６５、金属アンテナ６７、スライダ６８、サスペンション５３およびスイングアーム５３は１つとしたが、図１３に示すように複数としても問題ない。このとき、複数の光ディスク６５の間にスペーサ６９を挟みこむことでそれぞれの光ディスクの位置きめ及び固定を行う。
【０１６３】
以上のように、実施の形態１から３におけるディスク装置は、主に下記の構成を有している。
【０１６４】
すなわち、実施の形態１から３におけるディスク装置は、記録又は再生の少なくともいずれかが行われる記録再生面を有する情報記録媒体と、情報記録媒体を保持して回転駆動する駆動手段と、情報記録媒体の記録再生面に対向して配置される素子と、情報記録媒体を収納するとともに、素子が移動可能な開口部とを有した気流循環促進壁と、気流循環促進壁の内部または気流循環促進壁の周辺に配置した電極針を含んだイオナイザと、を有している。このとき、イオナイザの電極針から＋および−のイオンを放出し、かつ、駆動手段で情報記録媒体を回転させ、気流循環促進壁の内部に風を発生させることで、気流循環促進壁の内部の塵埃、または、情報記録媒体、または、素子の帯電量を低減する。
【０１６５】
なお、情報記録媒体は、実施の形態１および３で説明したように、光情報記録媒体であっても良い。このとき、ディスク記録再生装置は、光を出射する光源をさらに備えていても良い。
【０１６６】
また、実施の形態１で説明したように、上記の素子は、光源から出射された光束を近接場光として情報記録媒体の記録再生面に集光させることが可能な集光素子（例えば、ＳＩＬ）であっても良い。
【０１６７】
また、実施の形態３で説明したように、上記の素子は、光源から出射された光束をプラズモン共鳴光として光ディスクの記録再生面に集光させることが可能なプラズモン共鳴アンテナであっても良い。
【０１６８】
また、情報記録媒体は、実施の形態２で説明したように、磁気記録媒体であっても良い。このとき、実施の形態２で説明したように、上記の素子は、磁気ヘッドであっても良い。
【０１６９】
以上の構成によれば、塵埃、または、情報記録媒体、または、ヘッドの静電気（帯電）を除去することで、塵埃、情報記録媒体、および、ヘッド間のクーロン力を低減することが可能となる。これにより、塵埃が情報記録媒体およびヘッドの表面に付着することを防止できる。このため、非接触で信頼性が高くかつ簡素な構成で情報記録媒体およびヘッド表面を塵埃の付着のないクリーンな状況に保つことが可能となる。同時に、情報記録媒体とヘッド間のクーロン力も低減することもでき、情報記録媒体とヘッドの間隔をより安定とすることが可能となる。このため、情報記録媒体およびヘッドの相対距離を安定に保つことができ、信頼性の高い記録および再生が可能となる。
【０１７０】
また、実施の形態１から３におけるディスク装置は、気流循環促進壁の内部または気流循環促進壁の周辺に塵埃捕集フィルタを備えていても良い。このとき、ディスク装置は、情報記録媒体の回転で発生した風の流れで、気流循環促進壁の内部の塵埃を塵埃捕集フィルタで捕集しても良い。
【０１７１】
この構成によれば、気流循環促進壁の内部の塵埃を塵埃捕集フィルタで捕集することができ、気流循環促進壁の内部の塵埃が光情報記録媒体や素子に付着することを低減できる。
【０１７２】
また、実施の形態１から３におけるディスク装置は、情報記録媒体、素子、気流循環促進壁の内部の塵埃のいずれかの帯電量を検出する帯電センサをさらに有していても良い。このとき、ディスク装置は、帯電センサが検出した帯電量が、あらかじめ定めた値を超えたときのみ、イオナイザの電極針から＋および−のイオンを放出し、かつ、駆動手段で情報記録媒体を回転させ、気流循環促進壁の内部に風を発生させることで、気流循環促進壁の内部の塵埃、または、情報記録媒体、または、素子の帯電量を低減しても良い。さらに、このとき、ディスク装置は、情報記録媒体の回転で発生した風の流れで、気流循環促進壁の内部の塵埃を塵埃捕集フィルタで捕集しても良い。
【０１７３】
この構成によれば、イオナイザを必要なときのみ動作させてことになるため、イオン発生部の磨耗を抑えることができ、イオナイザの寿命を延ばすことができる。
【０１７４】
また、実施の形態１から３におけるディスク装置においては、イオナイザは、記録または再生を行うときに動作するモードと、記録または再生を行うとき以外に動作する除電浄化モードを有していても良い。
【０１７５】
この構成によれば、記録または再生時あるいはそれ以外の時とに分離して除電浄化モードを行うことができ、効果的な除電浄化モードを実施できる。さらに、記録または再生時に気流循環促進壁内の内部の塵埃を大幅に低減することが可能となる。
【０１７６】
また、実施の形態１から３におけるディスク装置においては、除電浄化モードは、装置に電源を入れた後に、駆動手段とともに、所定の時間、イオナイザを動作させ電極針から＋および−のイオンを発生させるか、駆動手段をあらかじめ定められた一定時間以上停止した後、記録あるいは再生動作の終了後またはディスク装置の電源オフ時に、駆動手段とともに、所定の時間、イオナイザを動作させても良い。なお、上記の所定の時間は、例えば、数秒から数十秒間であっても良い。
【０１７７】
この構成によれば、記録または再生を行う前に必ず前記除電浄化モードが動作するため、記録または再生時に必ず気流循環促進壁内の内部の塵埃を大幅に低減することが可能となる。
【０１７８】
また、実施の形態１から３におけるディスク装置においては、除電浄化モードにおける駆動手段の回転数は、高速回転、低速回転および停止を組み合わせた回転数であっても良い。
【０１７９】
この構成によれば、より発生されたイオンを短時間に効率よく、気流循環促進壁の内部の全域、情報記録媒体および素子表面に行き渡らせることができる。さらに、駆動手段の回転により気流循環促進壁の内部に発生する気流によって、イオンと気流循環促進壁の内部の塵埃と電気的な結合効率が低減することがなくなる。このため、塵埃、情報記録媒体および素子の除電を確実に実施することが可能となる。
【産業上の利用可能性】
【０１８０】
本発明にかかるディスク記録再生装置の除電装置およびディスク記録再生装置は、非接触で信頼性が高い帯電除去および塵埃捕集構成を実現することで、狭ギャップのディスク記録再生システムに応用でき、大容量の記録が可能なとなるためコンピュータの外部記憶装置等として、映像記録装置や映像再生装置等の用途にも応用できる。さらに、カーナビゲーションシステムや、携帯音楽プレーヤー、デジタルスチルカメラやデジタルビデオカメラの記憶装置の用途にも応用できる。
【０１８１】
具体的な製品分野としては、光ディスクドライブおよびハードディスクドライブのようなディスク記録再生装置の塵埃対策および静電気対策に関する分野（特に、静電気による塵埃とディスクの電位差を取り除く技術に関する分野）、ＳＩＬ方式およびプラズモン方式の記録再生原理を用いた光ディスク記録再生装置の分野、熱アシスト記録原理を用いたハードディスクドライブの分野が挙げられる。
【符号の説明】
【０１８２】
１    半導体レーザ
２    リレーレンズ
３    ビームスプリッタ
４    コリメータレンズ
５    対物レンズユニット
６    対物レンズアクチュエータ
８    シリンドリカルレンズ
９    光検出器
１０    ホログラム素子
１４    ＳＩＬ端面
１５    ＳＩＬ
１６    非球面レンズ
１７    レンズホルダ
２０    光学ヘッド
２１    光ディスク
２２    信号記録面
２４    チャッキング
２５    ターンテーブル
２６    スピンドルモータ（回転系）
２７    トラバース（移送系）
２８    制御回路
２９    信号処理回路
３０    入出力回路
３１    気流循環促進壁
３２    気流循環促進壁開口部
３５    イオナイザ
３６    電極針
３７    循環フィルタ
３８    駆動回路
５０    磁気ディスク
５１    磁気ヘッド
５２    スライダ
５３    サスペンション
５４    スイングアーム
５５    ボイスコイルモータ
５６    ＦＰＣ
５７    ヘッドアンプ、
５８    回路基板、
５９    フレーム
６０    キャップ
６１    固定ねじ
６５    光ディスク
６６    半導体レーザ
６７    金属アンテナ
６８    スライダ
６９    スペーサ
９０    ディスク記録再生装置
１０１    半導体レーザ
１０２    リレーレンズ
１０３    ビームスプリッタ
１０４    コリメータレンズ
１０５    対物レンズユニット
１０６    対物レンズアクチュエータ（詳細は図示せず）
１０８    シリンドリカルレンズ
１１１    光ディスク装置
１１２    ＳＩＬ
１１２ａ    ＳＩＬ端面
１１３    非球面レンズ
１１４    レンズホルダ
１１５    集光素子
１１６    ３軸アクチュエータ
１２８    光学ヘッド
１３１    レーザダイオード
１３２    コリメータレンズ
１３３    アナモフィックプリズム
１３４    ビームスプリッタ
１３５    ウォラストンプリズム
１３６    集光レンズ
１３８    集光レンズ
１３７    フォトディテクタ
１３９    フォトディテクタ
１４０    サーボ制御系
１４１    オートパワーコントローラ
１４２    ＬＤドライバ
１４３    １／４波長板
１４４    色収差補正レンズ
１４５    拡張用レンズ
１４６    コリメータレンズ
１４７    光ディスク
１４７ａ    記録面
１４８    スピンドルモータ
１５１    ギャップサーボモジュール
１５２    トラッキングサーボモジュール
１５３    チルトサーボモジュール
１５４    スピンドルサーボモジュール
１６０    レンズクリーニング機構
１６１    クリーニングテープ
１６３    回転ドラム
１６４    回転ドラム
１６５    補助ローラ
１６６    補助ローラ
１８０    ディスククリーニング機構
１８１    支持体
１８２    クリーニング部材
２０３    イオン発生器
２０４    集塵箱
２１０    送風器
２１１    パイプ状の送風路
２１２ａ    撮影光学系
２１４    シャッタ
２１４ａ    シャッタ幕
２１５    撮像ユニット
２１６    主回路基板
２２０    押圧部材
２２１    防塵フィルタ
２２２    振動部材
２２２ａ    電気機械変換素子
２２２ｂ    弾性体
２２２ｃ    突起
２２３    防塵フィルタ受け部材
２２４    撮像素子収納ケース部材
２２４ａ    段部
２２４ｃ    開口
２２４ｅ    ネジ孔
２２５    光学ローパスフィルタ、
２２６    ローパスフィルタ受け部材
２２７    ＣＣＤ
２２８    撮像素子固定板
２２８ａ    スペーサ
２２８ｂ    ネジ
２６１ａ    空隙部
２６１ｂ    空間部
【図１】
2015035232.tif 000003
【図２】
2015035232.tif 000004
【図３】
2015035232.tif 000005
【図４】
2015035232.tif 000006
【図５】
2015035232.tif 000007
【図６】
2015035232.tif 000008
【図７】
2015035232.tif 000009
【図８】
2015035232.tif 000010
【図９】
2015035232.tif 000011
【図１０】
2015035232.tif 000012
【図１１】
2015035232.tif 000013
【図１２】
2015035232.tif 000014
【図１３】
2015035232.tif 000015
【図１４】
2015035232.tif 000016
【図１５】
2015035232.tif 000017
【図１６】
2015035232.tif 000018
【図１７】
2015035232.tif 000019
【図１８】
2015035232.tif 000020
【図１９】
2015035232.tif 000021
【図２０】
2015035232.tif 000022